【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
第１のディスクベースのストレージデバイスから第２のディスクベースへのデータのアーカイブ方法において、エミュレートしたテープに関連したデータを実際に動かすことなく、該エミュレートしたテープを第１の要素から第２の要素へ模擬的に動かすステップと、コミュニケーションリンクを経由して前記エミュレートしたテープに関連したデータを前記第１のディスクベースのストレージデバイスから前記第２のディスクベースのストレージデバイスに送信するステップと、前記エミュレートしたテープに関連した前記データを前記第１のディスクベースのストレージデバイスから削除するステップと、からなることを特徴とするアーカイブ方法。
【請求項２】
前記第１のストレージデバイスはディスクアレイユニットであり、前記第２のストレージデバイスもディスクアレイユニットであることを特徴とする請求項１に記載の方法。
【請求項３】
前記第１のディスクベースのストレージデバイス上のストレージロケーションをエミュレートしたテープストレージロケーションに関連づける第１のマネージメントテーブルを生成するステップをさらに含むことを特徴とする請求項１に記載の方法。
【請求項４】
前記エミュレートしたテープを前記第１の要素から前記第２の要素へ移動させた後、前記エミュレートしたテープの移動を示すために前記第１のマネージメントテーブル上のストレージ情報を変更するステップをさらに含むことを特徴とする請求項３に記載の方法。
【請求項５】
前記変更されたストレージ情報は、前記第１のマネージメントテーブルのストレージフィールド上にある情報であることを特徴とする請求項４に記載の方法。
【請求項６】
前記第１のマネージメントテーブルは、前記第１のディスクベースのストレージデバイスのストレージコントローラにあるメモリーに記憶されることを特徴とする請求項３に記載の方法。
【請求項７】
複数のエミュレートしたテープを複数のエミュレートしたストレージテープロケーションに関連づける第２のマネージメントテーブルを生成するステップをさらに含むことを特徴とする請求項１に記載の方法。
【請求項８】
前記第２のマネージメントテーブルは前記第１のストレージデバイスに結合したサーバに記憶されることを特徴とする請求項７に記載の方法。
【請求項９】
前記エミュレートしたテープが前記第１の要素から前記第２の要素へ移動したことを前記第２のマネージメントテーブルに表示するステップをさらに含むことを特徴とする請求項８に記載の方法。
【請求項１０】
前記第１の要素はエミュレートしたテープストレージ領域であり、前記第２の要素はエミュレートしたテープインポート/エクスポート要素であることを特徴とする請求項１に記載の方法。
【請求項１１】
第１のストレージサブシステム第２のストレージサブシステムを含むストレージシステムのデータ転送方法において、前記第１のストレージサブシステムに記憶されたデータを複数のエミュレートしたテープに関連づけするステップと、前記第１のストレージサブシステム上の複数のストレージロケーションを複数のエミュレートしたテープストレージロケーションに関連づける第１のマネージメントテーブルを生成するステップと、前記複数のエミュレートしたテープを前記第１のストレージサブシステムの前記複数のエミュレートしたストレージテープロケーションに関連づける第２のマネージメントテーブルを生成するステップと、前記エミュレートしたテープの一つを第１の要素から第２の要素に模擬的に移動させるステップと、コミュニケーションリンクを経由して前記一つのエミュレートしたテープに関連するデータを前記第１のストレージサブシステムから前記第２のストレージサブシステムへ送信するステップと、前記一つのエミュレートしたテープに関連する前記データの送信を確認して、前記第１のストレージサブシステムから前記一つのエミュレートしたテープに関連する前記データを削除するステップと、からなることを特徴とするデータ転送方法。
【請求項１２】
前記第１と第２のストレージシステムはディスクアレイユニットであり、さらに、自己チェック操作を予定するためにグラフィックユーザインターフェイスを提供するステップと、前記第２のストレージシステムで将来実行されるべき自己チェックに関する情報を提供する選択を前記グラフィックユーザインターフェイス上で管理者から受信するステップと、からなることを特徴とする請求項１１に記載の方法。
【請求項１３】
前記第１のマネージメントテーブルは前記第１のストレージサブシステムのコントローラモジュールに記憶され、前記第２のマネージメントテーブルは前記第１のストレージサブシステムに結合したサーバに記憶されることを特徴とする請求項１１に記載の方法。
【請求項１４】
前記一つのエミュレートしたテープに関連する前記データを復活させるために前記削除ステップの後に、前記第１のストレージサブシステムで前記一つのエミュレートしたテープに関連した前記データを前記第２のストレージサブシステムから受信するステップを、さらに含むことを特徴とする請求項１１に記載の方法。
【請求項１５】
データを記憶するための複数の磁気ディスクを有するストレージ領域と、
前記ストレージ領域のデータフローの入出力を制御するプロセッサーと、前記ストレージ領域を管理するために必要な情報を記憶するメモリーと、ディスクアレイユニットをサーバに結合する第１のインターフェイスと、前記ディスクアレイユニットをリモートサイトにある他のディスクアレイユニットに結合させる第２のインターフェイスとを有するストレージコントローラと
を備えるディスクアレイユニットにおいて、前記メモリーは前記ディスクアレイユニット上の複数のストレージロケーションを複数のエミュレートしたテープストレージロケーションと関連づけるマネージメントテーブルを記憶し、前記エミュレートしたテープストレージロケーションは複数のエミュレートしたテープに関連づけられ、前記複数のエミュレートしたテープの各々は前記ディスクアレイユニットのデータに関連づけられており、
前記ディスクアレイユニットはコンピュータで読取り可能な媒体を含み、該コンピュータで読取り可能な媒体は、第１のストレージサブシステム上の複数のストレージロケーションを複数のエミュレートしたテープストレージロケーションに関連づける第１のマネージメントテーブルを生成するためのコードと、前記エミュレートしたテープの一つを第１の要素から第２の要素へ模擬的に移動させるためのコードと、前記一つのエミュレートしたテープに関連したデータを、コミュニケーションリンクを経由して前記第１のストレージサブシステムから第２のストレージサブシステムへ送信するためのコードと、前記一つのエミュレートしたテープに関連した前記データの送信を確認して、前記一つのエミュレートしたテープに関連する前記データを前記第１のストレージサブシステムから削除するためのコードと、を含むことを特徴とするディスクアレイユニット。
【請求項１６】
該コンピュータで読取り可能な媒体は、前記第１のストレージサブシステムに記憶されたデータを複数のエミュレートしたテープに関連づけるためのコードを含むことを特徴とする請求項１５に記載のディスクアレイユニット。
【請求項１７】
実際にはエミュレートしたテープに関連したデータを動かすことなく、エミュレートしたテープを第１の要素から第２の要素へ模擬的に移動させる手段と、前記エミュレートしたテープに関連するデータを第１のディスクベースのストレージデバイスから第２のディスクベースのストレージデバイスへコミュニケーションリンクを経由して送信する手段と
、前記エミュレートしたテープに関連した前記データを前記第１のディスクベースのストレージデバイスから削除する手段と、を備えることを特徴とするデータをアーカイブするためのストレージシステム。
【手続補正２】
【補正対象書類名】明細書
【補正対象項目名】００１５
【補正方法】変更
【補正の内容】
【００１５】
メモリーは、ディスクアレイ上の複数のストレージロケーションを複数のエミュレートしたテープストレージロケーションに関連づけるマネージメントテーブルを記憶しており、エミュレートしたテープストレージロケーションは複数のエミュレートしたテープと関連し、複数のエミュレートしたテープの各々はディスクアレイユニットのデータに関連している。
ディスクアレイユニットはコンピュータで読取り可能な媒体を含み、コンピュータで読取り可能な媒体は、第１のストレージサブシステム上の複数のストレージロケーションを複数のエミュレートしたテープストレージロケーションに関連づける第１のマネージメントテーブルを生成するためのコードと、エミュレートしたテープの一つを第１の要素から第２の要素へ模擬的に移動させるためのコードと、一つのエミュレートしたテープに関連したデータを、コミュニケーションリンクを経由して第１のストレージサブシステムから第２のストレージサブシステムへ送信するためのコードと、一つのエミュレートしたテープに関連したデータの送信を確認して、一つのエミュレートしたテープに関連するデータを第１のストレージサブシステムから削除するためのコードとを含んでいる。